(57)【要約】【課題】所望の周波数で、しかも広帯域の周波数で高いノイズ抑制効果を発揮するノイズフィルタを提供する。【解決手段】コイル２Ａ，２Ｂを有するコモンモードチョークコイル部２と並列回路部３−１，３−２とを備える。コイル２Ａ，２Ｂはコア２０の巻芯部２５に巻き付けられ、コイル２Ａの両端部２ａ１，２ａ２は天板２８が架けられた鍔部２６，２７下部の外部電極２１，２２に、コイル２Ｂの両端部２ｂ１，２ｂ２は外部電極２３，２４に接合されている。並列回路部３−１（３−２）は、コモンモードチョークコイル部２に組み付けられ、コイル２Ａ（２Ｂ）と並列に接続されている。並列回路部３−１（３−２）は、高抵抗の導線３Ａ（３Ｂ）とこ側板３１（３２）とを有し、第３のコイル（第４のコイル）と第１の抵抗（第２の抵抗）とを直列に接続した電気的構造になっている。【選択図】図１
2010193127.tif 000002
【特許請求の範囲】
【請求項１】
第１のコイルと第２のコイルとを有して成るコモンモードチョークコイル部と、このコモンモードチョークコイル部の上記第１のコイルに並列に接続された第１の並列回路部と、上記第２のコイルに並列に接続された第２の並列回路部とを備えるノイズフィルタであって、
上記第１の並列回路部を、第３のコイルと第１の抵抗とを直列に接続することにより構成し、
上記第２の並列回路部を、第４のコイルと第２の抵抗とを直列に接続することにより構成した、
ことを特徴とするノイズフィルタ。
【請求項２】
請求項１に記載のノイズフィルタにおいて、
上記第１のコイルを、鍔部を両端に有し天板を両鍔部上に有したコアの巻芯部に巻き付けられ且つ引き出された両端部が上記両鍔部の下部に設けられた第１及び第２の外部電極にそれぞれ接続された第１の導線で形成し、
上記第２のコイルを、上記第１のコイルと共に上記巻芯部に巻き付けられ且つ引き出された両端部が上記両鍔部の下部に設けられた第３及び第４の外部電極にそれぞれ接続された第２の導線で形成し、
上記第３のコイル及び第１の抵抗を、上記両鍔部の側部に架けられた第１の側板に巻き付けられ且つ引き出された両端部が上記第１及び第２の外部電極にそれぞれ接続された高抵抗の第３の導線で形成し、
上記第４のコイル及び第２の抵抗を、上記両鍔部の側部であって上記第１の側板とは反対側の側部に上記第１の側板と対向するように架けられた第２の側板に巻き付けられ且つ引き出された両端部が上記第３及び第４の外部電極にそれぞれ接続された高抵抗の第４の導線で形成した、
ことを特徴とするノイズフィルタ。
【請求項３】
請求項２に記載のノイズフィルタにおいて、
第１の導体部を、上記第１の側板と上記両鍔部の側部との間に形成すると共に、第２の導体部を、上記第２の側板と上記両鍔部の側部との間に形成した、
ことを特徴とするノイズフィルタ。
【請求項４】
請求項２に記載のノイズフィルタにおいて、
所定厚さの第１の樹脂を、上記第１の側板と上記両鍔部の側部との間に介在させると共に、所定厚さの第２の樹脂を、上記第２の側板と上記両鍔部の側部との間に介在させた、
ことを特徴とするノイズフィルタ。
【請求項５】
請求項１又は請求項２に記載のノイズフィルタにおいて、
上記第１の並列回路部を、第３のコイルと第１の抵抗と第１のコンデンサとを直列に接続することにより構成し、
上記第２の並列回路部を、第４のコイルと第２の抵抗と第２のコンデンサとを直列に接続することにより構成した、
ことを特徴とするノイズフィルタ。
【請求項６】
請求項５に記載のノイズフィルタにおいて、
上記第１のコンデンサを、上記第１の側板の対向する両面にそれぞれ設けられた１対の電極で構成すると共に、上記第３の導線の一方端部を当該１対の電極を通じて上記第１の外部電極に接続し、
上記第２のコンデンサを、上記第２の側板の対向する両面にそれぞれ設けられた１対の電極で構成すると共に、上記第４の導線の一方端部を当該１対の電極を通じて上記第３の外部電極に接続した、
ことを特徴とするノイズフィルタ。
【発明の詳細な説明】
【技術分野】
【０００１】
この発明は、リンギングや放射ノイズを抑制するノイズフィルタに関するものである。
【背景技術】
【０００２】
従来、この種のノイズフィルタとしては、例えば、特許文献１及び特許文献２に開示の技術がある。
図２２は、特許文献１に開示のノイズフィルタを示す等価回路図であり、図２３は、特許文献２に開示のノイズフィルタを示す等価回路図である。
図２２に示すように、特許文献１に開示のノイズフィルタ１００は、抵抗１２０をコモンモードチョークコイル１１０の各コイル１１１に並列に接続した構成をしている。
かかる構成により、コモンモードチョークコイル１１０とケーブル２００との直列共振によるリンギングや放射ノイズの発生を抑制している。
一方、図２３に示すように、特許文献２に開示のノイズフィルタ１０１では、コンデンサ１３０をコモンモードチョークコイル１１０の各コイル１１１と並列に接続した構成をしている。
かかる構成により、コモンモードチョークコイル１１０とコンデンサ１３０との並列共振による特定周波数で発生する大きなノイズの抑制を行っている。
【先行技術文献】
【特許文献】
【０００３】
【特許文献１】２００３−２５８５８６号公報
【特許文献２】特開平０９−１１６３６７号公報
【発明の概要】
【発明が解決しようとする課題】
【０００４】
しかし、上記従来の技術では、次のような問題がある。
まず、図２２に示すノイズフィルタ１００では、リンギングや放射ノイズの発生を抑制する効果を得ることができるが、抵抗１２０に周波数特性がないため、最もインピーダンスが高い周波数が一定に固定される。このため、この最も高いノイズ抑制効果を得ることができる周波数を、使用周波数帯内に変化させるための調整をすることができず、使用周波数帯において、十分なノイズ抑制効果を得ることができない。
次に、図２３に示すノイズフィルタ１０１では、コモンモードチョークコイル１１０とコンデンサ１３０との並列共振を行うため、インピーダンスが共振周波数で高くなり、この周波数において、高いノイズ抑制効果を得ることができる。しかし、この周波数を僅かに外れると、インピーダンスが急激に下がり、ノイズ抑制効果が発揮されなくなってしまう。
このため、図２３のノイズフィルタでは、広い周波数帯域で使用することができない。
【０００５】
この発明は、上述した課題を解決するためになされたもので、所望の周波数で、しかも広帯域の周波数で高いノイズ抑制効果を発揮するノイズフィルタを提供することを目的とする。
【課題を解決するための手段】
【０００６】
上記課題を解決するために、請求項１の発明は、第１のコイルと第２のコイルとを有して成るコモンモードチョークコイル部と、このコモンモードチョークコイル部の第１のコイルに並列に接続された第１の並列回路部と、第２のコイルに並列に接続された第２の並列回路部とを備えるノイズフィルタであって、第１の並列回路部を、第３のコイルと第１の抵抗とを直列に接続することにより構成し、第２の並列回路部を、第４のコイルと第２の抵抗とを直列に接続することにより構成した。
かかる構成により、コモンモード時においては、コモンモードチョークコイル部の第１のコイル（第２のコイル）に並列な浮遊容量が発生し、この第１のコイル（第２のコイル）と浮遊容量との並列共振回路が形成され、この並列共振回路が第１の共振周波数で共振する。この結果、コモンモード時においては、コモンモードインピーダンスがこの第１の共振周波数付近で高くなる。
同時に、この浮遊容量と第１の並列回路部（第２の並列回路部）の第３のコイル（第４のコイル）との並列共振回路が形成され、この並列共振回路が第２の共振周波数で共振する。この結果、コモンモードインピーダンスが第２の共振周波数付近においても高くなる。
【０００７】
請求項２の発明は、請求項１に記載のノイズフィルタにおいて、第１のコイルを、鍔部を両端に有し天板を両鍔部上に有したコアの巻芯部に巻き付けられ且つ引き出された両端部が両鍔部の下部に設けられた第１及び第２の外部電極にそれぞれ接続された第１の導線で形成し、第２のコイルを、第１のコイルと共に巻芯部に巻き付けられ且つ引き出された両端部が両鍔部の下部に設けられた第３及び第４の外部電極にそれぞれ接続された第２の導線で形成し、第３のコイル及び第１の抵抗を、両鍔部の側部に架けられた第１の側板に巻き付けられ且つ引き出された両端部が第１及び第２の外部電極にそれぞれ接続された高抵抗の第３の導線で形成し、第４のコイル及び第２の抵抗を、両鍔部の側部であって第１の側板とは反対側の側部に第１の側板と対向するように架けられた第２の側板に巻き付けられ且つ引き出された両端部が第３及び第４の外部電極にそれぞれ接続された高抵抗の第４の導線で形成した構成とする。
【０００８】
請求項３の発明は、請求項２に記載のノイズフィルタにおいて、第１の導体部を、第１の側板と両鍔部の側部との間に形成すると共に、第２の導体部を、第２の側板と両鍔部の側部との間に形成した構成とする。
かかる構成により、磁力線が、第１の側板と両鍔部の側部との間を通ると、渦電流が第１の導体部（第２の導体部）に発生し、磁力線の強さが、減衰される。
【０００９】
請求項４の発明は、請求項２に記載のノイズフィルタにおいて、所定厚さの第１の樹脂を、第１の側板と両鍔部の側部との間に介在させると共に、所定厚さの第２の樹脂を、第２の側板と両鍔部の側部との間に介在させた構成とする。
かかる構成により、第１の側板と両鍔部の側部との間を通る磁力線が、第１の樹脂（第２の樹脂）によって、弱められる。
【００１０】
請求項５の発明は、請求項１又は請求項２に記載のノイズフィルタにおいて、第１の並列回路部を、第３のコイルと第１の抵抗と第１のコンデンサとを直列に接続することにより構成し、第２の並列回路部を、第４のコイルと第２の抵抗と第２のコンデンサとを直列に接続することにより構成した。
かかる構成により、コモンモード時においては、第１のコイル（第２のコイル）と第１の並列回路部（第２の並列回路部）の第１のコンデンサ（第第２のコンデンサ）との並列共振回路が形成され、この並列共振回路が第３の共振周波数で共振する。この結果、コモンモードインピーダンスが第３の共振周波数付近においても高くなる。
【００１１】
請求項６の発明は、請求項５に記載のノイズフィルタにおいて、第１のコンデンサを、第１の側板の対向する両面にそれぞれ設けられた１対の電極で構成すると共に、第３の導線の一方端部を当該１対の電極を通じて第１の外部電極に接続し、第２のコンデンサを、第２の側板の対向する両面にそれぞれ設けられた１対の電極で構成すると共に、第４の導線の一方端部を当該１対の電極を通じて第３の外部電極に接続した構成とする。
【発明の効果】
【００１２】
以上詳しく説明したように、請求項１〜請求項６の発明に係るノイズフィルタによれば、コモンモード時に、コモンモードインピーダンスが複数の共振周波数の付近において高くなるので、広帯域の周波数で高いノイズ抑制効果を得ることができるという優れた効果がある。また、コモンモードチョークコイル部の第１のコイル（第２のコイル）に並列に接続された第１の並列回路部（第２の並列回路部）のコイルやコンデンサの値を変えることにより、所望の周波数で所望のノイズ抑制効果を得ることができる。
特に、請求項３及び請求項４の発明に係るノイズフィルタによれば、第１の側板（第２の側板）から両鍔部の側部の間を通る磁力線を弱めることができるので、ノイズ抑制効果をさらに高めることができる。
また、請求項５及び請求項６の発明に係るノイズフィルタによれば、コモンモード時に、第１及び第２の共振周波数付近だけでなく、第３の共振周波数付近のコモンモードインピーダンスも高くすることができるので、さらに広い周波数帯域で高いノイズ抑制効果を得ることができる。
【図面の簡単な説明】
【００１３】
【図１】この発明の第１実施例に係るノイズフィルタを示す分解斜視図である。
【図２】図１に示すノイズフィルタの外観図である。
【図３】コモンモードチョークコイル部の側面図である。
【図４】コモンモードチョークコイル部の下面図である。
【図５】コモンモードチョークコイル部の正面図である。
【図６】並列回路部がコモンモードチョークコイル部に組み付けられた状態を示すノイズフィルタ１の下面図である。
【図７】ノイズフィルタ１の正面図である。
【図８】図２の矢視Ｃ−Ｃ断面図である。
【図９】ノイズフィルタの等価回路図である。
【図１０】ノイズフィルタの作用及び効果を説明するための等価回路図である。
【図１１】ノイズフィルタによって生じるコモンモードインピーダンスの線図である。
【図１２】この発明の第２実施例に係るノイズフィルタを示す分解斜視図である。
【図１３】この実施例のノイズフィルタが示す作用及び効果を説明するための概略断面図である。
【図１４】この発明の第３実施例に係るノイズフィルタの正面図である。
【図１５】この発明の第４実施例に係るノイズフィルタを示す分解斜視図である。
【図１６】図１５に示すノイズフィルタの外観図である。
【図１７】この実施例のノイズフィルタの等価回路図である。
【図１８】コモンモードインピーダンスの線図である。
【図１９】評価回路のブロック図である。
【図２０】各ノイズフィルタにおけるコモンモードインピーダンスの絶対値を示す線図である。
【図２１】各ノイズフィルタにおけるコモンモードインピーダンスの実数成分を示す線図である。
【図２２】従来例に係るノイズフィルタを示す等価回路図である。
【図２３】他の従来例に係るノイズフィルタを示す等価回路図である。
【発明を実施するための形態】
【００１４】
以下、この発明の最良の形態について図面を参照して説明する。
【実施例１】
【００１５】
図１は、この発明の第１実施例に係るノイズフィルタを示す分解斜視図であり、図２は、図１に示すノイズフィルタの外観図である。
【００１６】
図１に示すように、この実施例のノイズフィルタ１は、コモンモードチョークコイル部２と、第１の並列回路部としての並列回路部３−１と、第２の並列回路部としての並列回路部３−２とを備えている。
【００１７】
コモンモードチョークコイル部２は、第１のコイルとしてのコイル２Ａと第２のコイルとしてのコイル２Ｂとを有している。
図３は、コモンモードチョークコイル部２の側面図であり、図４は、コモンモードチョークコイル部２の下面図であり、図５は、コモンモードチョークコイル部２の正面図である。
図１及び図２に示すコイル２Ａは、第１の導線としての導線であり、コイル２Ｂは、第２の導線としての導線である。図３に示すように、これらの導線がコア２０に巻き付けられて、コイル２Ａ，２Ｂが形成されている。
コア２０は、Mn-Zn系フェライト、Ni-Zn系フェライト等のフェライトで形成されており、巻芯部２５がその中央に設けられ、鍔部２６，２７がこの巻芯部２５の両端に設けられている。
この鍔部２６，２７の下部には、第１の外部電極としての外部電極２１と、第２外部電極としての外部電極２２と、第３の外部電極としての外部電極２３と、第４の外部電極としての外部電極２４とが形成されている。
また、両鍔部２６，２７上面には、Mn-Zn系フェライト、Ni-Zn系フェライト等のフェライトで形成された天板２８が架けられている。
詳しくは、コイル２Ａ，２Ｂは、このようなコア２０の巻芯部２５に巻き付けられている。
すなわち、図４に示すように、コイル２Ａ，２Ｂは、隣り合うようにして、巻芯部２５の長さ方向に亘って巻き付けられている。そして、コイル２Ａの両端部２ａ１，２ａ２が、鍔部２６，２７側に引き出されて、外部電極２１，２２の下面にそれぞれ接合され、コイル２Ｂの両端部２ｂ１，２ｂ２が、同様に鍔部２６，２７側に引き出されて、外部電極２３，２４の下面にそれぞれ接合されている。
図５に示すように、コモンモードチョークコイル部２における外部電極２１，２３（２２，２４）の幅及び天板２８の幅が、鍔部２６（２７）の幅よりも広く設定されて、凹部Ａ，Ｂが外部電極２１，２３（２２，２４）と天板２８との間に形成され、並列回路部３−１，３−２をこの凹部Ａ，Ｂに組み付けることができるようになっている。
【００１８】
並列回路部３−１，３−２は、図１及び図２に示すように、コモンモードチョークコイル部２の上記凹部Ａ，Ｂにそれぞれ組み付けられ、コイル２Ａ，２Ｂと並列に接続されている。
並列回路部３−１，３−２は、第３，第４の導線としての導線３Ａ，３Ｂを有している。
導線３Ａ，３Ｂは、第１の側板としての側板３１，この側板３１に対向した第２の側板としての側板３２にそれぞれ長さ方向に亘って巻き付けられている。
具体的には、側板３１（３２）は、両端部をコモンモードチョークコイル部２の凹部Ａ（Ｂ）にそれぞれ嵌め込むことができる長尺状の板体であり、コア２０や天板２８と同様に、Mn-Zn系フェライト、Ni-Zn系フェライト等のフェライトで形成されている。一方、導線３Ａ（３Ｂ）は、例えば、ニクロム線等で形成した高抵抗の導線である。
したがって、この導線３Ａと側板３１とを有する並列回路部３−１は、第３のコイル（以下、「コイルＬ３」と記す）と第１の抵抗（以下、「抵抗Ｒ１」と記す）とを直列に接続した電気的構造になっている。また、導線３Ｂと側板３２とを有する並列回路部３−２は、第４のコイル（以下、「コイルＬ４」と記す）と第２の抵抗（以下、「抵抗Ｒ２」と記す）とを直列に接続した電気的構造になっている。
【００１９】
図６は、並列回路部３−１，３−２がコモンモードチョークコイル部２に組み付けられた状態を示すノイズフィルタ１の下面図であり、図７は、ノイズフィルタ１の正面図であり、図８は、図２の矢視Ｃ−Ｃ断面図である。
図６及び図７に示すように、上記のような電気構造の並列回路部３−１（３−２）においては、側板３１（３２）の両端部が凹部Ａ（Ｂ）に嵌め込まれ、導線３Ａ（３Ｂ）の両端部３ａ１，３ａ２（３ｂ１，３ｂ２）が、側板３１（３２）から引き出されて、外部電極２１，２２（２３，２４）の前面にそれぞれ接合されている。
このとき、図８に示すように、並列回路部３−１（３−２）がコモンモードチョークコイル部２の巻芯部２５から離れるように組み付けられており、導線３Ａ（３Ｂ）とコイル２Ａ，２Ｂとの接触が回避されている。
【００２０】
図９は、ノイズフィルタ１の等価回路図である。
ノイズフィルタ１が、上記のような構造をとることにより、電気回路で示すと、図９に示すように、コイルＬ３と抵抗Ｒ１とで成る並列回路部３−１が、コモンモードチョークコイル部２のコイル２Ａに並列に接続され、コイルＬ４と抵抗Ｒ２とで成る並列回路部３−２が、コイル２Ｂに並列に接続された回路構成になる。
【００２１】
次に、この実施例のノイズフィルタ１が示す作用及び効果について説明する。
図１０は、ノイズフィルタ１の作用及び効果を説明するための等価回路図であり、図１１は、ノイズフィルタ１によって生じるコモンモードインピーダンスの線図である。
図１０に示すように、外部電極２１，２２（図１及び図６参照）を差動伝送路２００の一方の線路２０１に半田付けすると共に、外部電極２３，２４（図１及び図６参照）を他方の線路２０２に半田付けして、ノイズフィルタ１を差動伝送路２００上に実装すると、コイル２Ａと並列回路部３−１とが線路２０１側に接続されると共に、コイル２Ｂと並列回路部３−２とが線路２０２側に接続される。
かかる状態で、コモンモードノイズＮ，Ｎが差動伝送路２００上に侵入すると、コモンモードノイズＮ，Ｎが外部電極２１，２３を通じてノイズフィルタ１内に流入する。
ここで、コモンモードチョークコイル部２において、浮遊容量Ｃがコイル２Ａ，２Ｂに並列に存在するため、コイル２Ａ（２Ｂ）と浮遊容量Ｃとの並列共振回路Ｆ１が形成される。この結果、並列共振回路Ｆ１が、第１の共振周波数である共振周波数ｆ１で共振し、図１１に示すように、コモンモードインピーダンスＺが、この共振周波数ｆ１付近で高くなる。
また、図１０に示すように、並列回路部３−１（３−２）のコイルＬ３（Ｌ４）がコイル２Ａ（２Ｂ）と並列に接続されていることから、コイルＬ３（Ｌ４）と浮遊容量Ｃとの並列共振回路Ｆ２が生成される。この結果、並列共振回路Ｆ２が、第２の共振周波数である共振周波数ｆ２で共振し、図１１に示すように、コモンモードインピーダンスＺが、この共振周波数ｆ２付近で高くなる。
したがって、この実施例のノイズフィルタ１では、２つの共振周波数ｆ１，ｆ２が発生し、この周波数付近の周波数を有したコモンモードノイズＮ，Ｎを抑制することができる。  図１１では、共振周波数ｆ２が共振周波数ｆ１よりも低く表示されているが、共振周波数ｆ２は、コイルＬ３（Ｌ４）のインダクタンス値によって変わるため、ｆ１＜ｆ２の範囲内で共振周波数ｆ２を調整することも可能である。
【００２２】
このように、この実施例のノイズフィルタ１によれば、コモンモード時に、２つの共振周波数ｆ１，ｆ２の付近において、コモンモードインピーダンスを高くすることができるので、広帯域の周波数で高いノイズ抑制効果を得ることができる。さらに、コモンモードチョークコイル部２のコイル２Ａ（コイル２Ｂ）に並列に接続された並列回路部３−１（並列回路部３−２）のコイルＬ３（Ｌ４）のインダクタンス値を変えることにより、所望の周波数で所望のノイズ抑制効果を得ることができる。
【実施例２】
【００２３】
次に、この発明の第２実施例について説明する。
図１２は、この発明の第２実施例に係るノイズフィルタを示す分解斜視図である。
この実施例は、磁力線を弱める構成にした点が、上記第１実施例と異なる。
すなわち、図１２に示すように、第１の導体部としての金属膜４１を、両鍔部２６，２７の側部に形成した。また、第２の導体部としての金属膜４２を、両鍔部２６，２７の側部に形成した。
そして、側板３１の両端部を金属膜４１，４１の上に接触させるようにして、凹部Ａ，Ａに嵌め込むと共に、側板３２の両端部を金属膜４２，４２の上に接触させるようにして、凹部Ｂ，Ｂに嵌め込んだ。
【００２４】
図１３は、この実施例のノイズフィルタが示す作用及び効果を説明するための概略断面図である。なお、この図１３では、理解を容易にするため、金属膜４１（４２）以外の部材にはハッチングを入れていない。
コモンモード時にコモンモードノイズがノイズフィルタに入ると、図１３に示すように、導線３Ａ（３Ｂ）に電流が流れ、磁力線が側板３１（３２）内に誘起される。
この磁力線Ｈは、側板３１（３２）から鍔部２６，２７を通じてコア２０内に入り込むと、コイル２Ａ，２Ｂによってコア２０内に誘起される磁力線（図示せず）に影響を与え、ノイズフィルタのノイズ抑制効果を落とすおそれがある。
しかし、この実施例では、金属膜４１（４２）が側板３１（３２）と鍔部２６，２７の側部との間に介在しているので、磁力線Ｈが、側板３１（３２）と鍔部２６，２７の間を通る際には、渦電流Ｉが金属膜４１（４２）の表面に発生し、磁力線Ｈの強さが、減衰する。
この結果、ノイズ抑制効果を、第１実施例のノイズフィルタよりもさらに高めることができる。
その他の構成、作用及び効果は、上記第１実施例と同様であるので、その記載は省略する。
【実施例３】
【００２５】
次に、この発明の第３実施例について説明する。
図１４は、この発明の第３実施例に係るノイズフィルタの正面図である。
この実施例は、金属膜４１（４２）の代わりに、樹脂を用いた点が、上記第２実施例と異なる。
すなわち、図１４に示すように、第１の樹脂としての所定厚さの樹脂４３を、側板３１と両鍔部２６，２７の側部との間に介在させると共に、第２の樹脂としての所定厚さの樹脂４４を、側板３２と両鍔部２６，２７の側部との間に介在させた。
【００２６】
かかる構成により、側板３１（３２）と鍔部２６，２７との間に樹脂４３（４４）を介した大きな間隙が生じ、側板３１（３２）から鍔部２６，２７側に向かう磁力線（図１３参照）が、樹脂４３（４４）によって、弱められる。
その他の構成、作用及び効果は、上記第２実施例と同様であるので、その記載は省略する。
【実施例４】
【００２７】
次に、この発明の第４実施例について説明する。
図１５は、この発明の第４実施例に係るノイズフィルタを示す分解斜視図であり、図１６は、図１５に示すノイズフィルタの外観図である。
この実施例は、並列回路部３−１（３−２）の構造が、上記第１〜第３実施例と異なる。
すなわち、図１５及び図１６に示すように、並列回路部３−１に、第１のコンデンサとしてのコンデンサ５１を追加した。
具体的には、１対の電極５１ａ，５１ｂを側板３１の対向する両面３１ａ，３１ｂにそれぞれ設けて、コンデンサ５１を構成した。そして、導線３Ａの端部３ａ３（図示せず）を内面の電極５１ｂに接続し、端部３ａ１を、電極５１ａから引き出して、コモンモードチョークコイル部２の外部電極２１に接続した。また、両端部３ａ２は、外部電極２２に接続した。
同様に、並列回路部３−２に、第２のコンデンサとしてのコンデンサ５２を追加した。
具体的には、１対の電極５２ａ，５２ｂを側板３２の対向する両面３２ａ，３２ｂにそれぞれ設けて、コンデンサ５２を構成した。そして、導線３Ｂの端部３ｂ３を内面の電極５２ｂに接続し、端部３ｂ１を、電極５２ａから引き出して、部２の外部電極２３に接続した。また、両端部３ｂ２は、外部電極２４に接続した。
【００２８】
図１７は、この実施例のノイズフィルタの等価回路図であり、図１８は、コモンモードインピーダンスの線図である。
かかる構成により、この実施例のノイズフィルタを電気回路で示すと、図１７に示すように、コンデンサ５１とコイルＬ３と抵抗Ｒ１とで成る並列回路部３−１が、コモンモードチョークコイル部２のコイル２Ａに並列に接続され、コンデンサ５２とコイルＬ４と抵抗Ｒ２とで成る並列回路部３−２が、コイル２Ｂに並列に接続された回路構成になる。
【００２９】
これにより、コモンモード時には、コイル２Ａ（２Ｂ）と浮遊容量Ｃとの並列共振回路Ｆ１が生成されると共に、コイルＬ３（Ｌ４）と浮遊容量Ｃとの並列共振回路Ｆ２が生成される。そして、並列回路部３−１（３−２）のコンデンサ５１（５２）がコイル２Ａ（２Ｂ）と並列に接続されていることから、コンデンサ５１（５２）とコイル２Ａ（２Ｂ）との並列共振回路Ｆ３が生成される。この結果、並列共振回路Ｆ３が、第３の共振周波数である共振周波数ｆ３で共振し、コモンモードインピーダンスが、この共振周波数ｆ３付近で高くなる。
したがって、この実施例のノイズフィルタでは、図１８に示すように、３つの共振周波数ｆ１，ｆ２，ｆ３が発生し、この周波数付近の周波数を有したコモンモードノイズを抑制することができるので、図２２及び図２３に示した従来のノイズフィルタだけでなく、上記第１〜第３実施例のノイズフィルタよりも広い周波数帯域で、高いノイズ抑制効果を得ることができる。
なお、図１８は、共振周波数ｆ３が共振周波数ｆ１よりも高く表示されているが、共振周波数ｆ３はコンデンサ５１（５２）の容量値によって変化させることができるため、ｆ３＜ｆ１の範囲で共振周波数ｆ３を調整することが可能である。
【００３０】
発明者は、この実施例の効果を確認すべく、次のような評価試験を行った。
図１９は、評価回路のブロック図である。
図１９に示す評価回路は、車載ＬＡＮに用いられる CAN（Controller Area Network）ｂｕｓの通信回路である。
この試験では、５００ｋＨｚのパルスをオシレータ２１２からトランシーバ基板２１０上の送信ＩＣ２１１に入力し、所定周波数の信号を送信ＩＣ２１１から基板２１０上の差動伝送路２０１′，２０２′を通じて２ｍのツイストペアケーブルの差動伝送路２０１，２０２に出力した。信号は、ＣＡＮ＿Ｈ端子Ｐ１，ＣＡＮ＿Ｌ端子Ｐ２からスプリットターミネーション２２０を介して、外部の差動伝送路２０１，２０２に出力するようになっている。スプリットターミネーション２２０は、２つの１．３ｋΩの抵抗２２１と接地された１００ｎＦのコンデンサ２２２とで構成されている。また、差動伝送路２０１，２０２の先には、６０Ωの終端抵抗２３０が接続されており、４本の２ｍツイストペアケーブル２４１〜２４４がこの終端抵抗２３０から分岐し、各ツイストペアケーブル２４１（２４２〜２４４）の先端がオープン終端になっている。なお、符号２１３は電源である。
【００３１】
発明者は、差動伝送路２０１′，２０２′に実装するための３種類のノイズフィルタを用意し、インピーダンスアナライザーを用いて０．３ＭＨｚ〜１ＧＨｚのインピーダンスをそれぞれ測定した。
図２０は、各ノイズフィルタにおけるコモンモードインピーダンスの絶対値を示す線図であり、図２１は、各ノイズフィルタにおけるコモンモードインピーダンスの実数成分を示す線図である。
この試験では、１つ目のノイズフィルタとして、インダクタンスが５０μＨに設計された株式会社村田製作所のノイズフィルタ（製品番号DLW43SH510XK2）２′を採用した。
また、２つ目のノイズフィルタとして、このノイズフィルタ２′に５ｋΩの抵抗１２０を組み付けて構成した図２２のノイズフィルタ１００を採用した。
最後に、３つ目のノイズフィルタとして、この実施例のノイズフィルタ１を採用した。この際、コモンモードチョークコイル部２として、ノイズフィルタ２′を適用し、並列回路部３−１，３−２をこのノイズフィルタ２′の両側に組み付けて、この実施例のノイズフィルタ１を構成した。そして、並列回路部３−１（３−２）の抵抗Ｒ１（Ｒ２）を５ｋΩ、コイルＬ３（Ｌ４）を１０μＨ、コンデンサ５１（５２）を１ｐＦに設定した。
【００３２】
まず、ノイズフィルタ２′について当該試験を実行したところ、そのコモンモードインピーダンスの絶対値が、図２０の２点鎖線曲線Ｓ１で示すように、３０ＭＨｚ付近でピークとなり、実数成分も、図２１の２点鎖線曲線Ｓ１で示すように、３０ＭＨｚ付近でピークとなる。
一方、ノイズフィルタ１００では、絶対値は、図２０の実線曲線Ｓ２で示すように、４０ＭＨｚ付近でピークとなるが、その値は小さい。しかしながら、実数成分は、図２０の実線曲線Ｓ２で示すように、７ＭＨｚ〜９ＭＨｚの範囲や５０ＭＨｚ〜２００ＭＨｚの部分でノイズフィルタ２′のコモンモードインピーダンスの実数成分よりも大きくなっている。このため、ノイズフィルタ１００の方がノイズ抑制効果を発揮する帯域がノイズフィルタ２′よりも多少広くなるといえる。
これに対して、この実施例のノイズフィルタ１では、コモンモードインピーダンスの絶対値及び実数成分が、図２０及び図２１の太実線曲線Ｓ３で示すように、１６ＭＨｚと８０ＭＨｚとの２カ所の周波数でピークを持っている。このため、ノイズフィルタ２′とは勿論のこと、ノイズフィルタ１００の使用帯域よりも遙かに広い周波数帯域において、高いノイズ抑制効果を期待することができると考えられる。
【００３３】
さらに、発明者は、ノイズフィルタ１，ノイズフィルタ２′及びノイズフィルタ１００に対し、上記評価回路を用いて、車両・車載機器のエミッション規格であるＣＩＳＰＲ２５に準拠した輻射測定を行った。
ノイズフィルタ１では、図１７に示したように、並列共振回路Ｆ１，Ｆ２，Ｆ３が生成されるため、図２０及び図２１の太実線曲線Ｓ３で示したように、１６ＭＨｚと８０ＭＨｚ（もう一つの共振周波数は判読不能）にコモンモードインピーダンスがピークを持つ。このため、この輻射測定においても、ノイズフィルタ１のノイズレベルが１６ＭＨｚでノイズフィルタ１００のノイズレベルよりも明らかに低くなった。したがって、この１６ＭＨｚ付近では、ノイズフィルタ１の方がノイズフィルタ１００よりもノイズ抑制効果が高いことを確認した。なお、８０ＭＨｚのピークについては、輻射ノイズのレベルが低すぎて、判別することができなかった。
また、図２０及び図２１の二点鎖線曲線Ｓ１及び太実線曲線Ｓ３で示したように、５ＭＨｚ〜１５ＭＨｚの範囲では、ノイズフィルタ１の方がノイズフィルタ２′よりもコモンモードインピーダンスが高かった。したがって、この輻射測定においても、この周波数範囲で、ノイズフィルタ１の方がノイズフィルタ２′よりもノイズレベルが低くなり、ノイズ抑制効果が高いことを確認した。また、１５ＭＨｚ以上では、ノイズフィルタ２′の方がノイズフィルタ１よりもコモンモードインピーダンスが高かったため、この輻射測定においても、この周波数範囲で、ノイズフィルタ２′の方がノイズフィルタ１よりもノイズレベルが低くなった。なお、８０ＭＨｚのピークについては、輻射ノイズのレベルが低すぎて、ノイズフィルタ１とノイズフィルタ２′との差を判別することができなかった。
【符号の説明】
【００３４】
１…ノイズフィルタ、  ２…コモンモードチョークコイル部、  ２Ａ，２Ｂ，Ｌ３，Ｌ４…コイル、  ２ａ１，２ａ２，２ｂ１，２ｂ２，３ａ１，３ａ２，３ａ３，３ｂ３…端部、  ３−１，３−２…並列回路部、  ３Ａ，３Ｂ…導線、  ２０…コア、  ２１〜２４…外部電極、  ２５…巻芯部、  ２６，２７…鍔部、  ２８…天板、  ３１，３２…側板、  ４１，４２…金属膜、  ４３，４４…樹脂、  ５１，５２…コンデンサ、  ５１ａ，５１ｂ，５２ａ，５２ｂ…電極、  Ｃ…浮遊容量、  Ｒ１，Ｒ２…抵抗。
【図１】
2010193127.tif 000003
【図２】
2010193127.tif 000004
【図３】
2010193127.tif 000005
【図４】
2010193127.tif 000006
【図５】
2010193127.tif 000007
【図６】
2010193127.tif 000008
【図７】
2010193127.tif 000009
【図８】
2010193127.tif 000010
【図９】
2010193127.tif 000011
【図１０】
2010193127.tif 000012
【図１１】
2010193127.tif 000013
【図１２】
2010193127.tif 000014
【図１３】
2010193127.tif 000015
【図１４】
2010193127.tif 000016
【図１５】
2010193127.tif 000017
【図１６】
2010193127.tif 000018
【図１７】
2010193127.tif 000019
【図１８】
2010193127.tif 000020
【図１９】
2010193127.tif 000021
【図２０】
2010193127.tif 000022
【図２１】
2010193127.tif 000023
【図２２】
2010193127.tif 000024
【図２３】
2010193127.tif 000025